(57)【要約】      （修正有）【課題】安置の安定度を増加する工芸品の展示台を提供する。【解決手段】展示台の本体１を含む。展示台の本体１の底は一つタンク１０１があり、タンク１０１の内頂部位置に対称に四つのセット１０２が設置されて、セット１０２の中に軸１０３が結合され、タンク１０１と軸１０３の間にボルト１１１が結合され、軸の下にセット軸１０４が結合され、セット軸は軸１０３の間に合わせて活動する、セット軸１０２の下に地面を吸着する用の吸盤１０５が設置され、展示台の本体１の頂部に段鼻１０６が設置され、展示台の本体１の頂部に段鼻１０６を通じて透光マスク２が結合され、段鼻１０６が透光マスク２の内壁に交差され、展示台の本体の頂部に一つ溝付が設置され、溝付の中にディフューザ板が結合され、四つのセット軸の間に一つの位置決めプレート３が結合され、位置決めプレート３の頂部にセット軸を通り抜ける用の穴があり、この装置は地面との間に確実に接地することを実現することができ、安置の安定度を増加する。【選択図】図１
0003213327.tif 000002
【実用新案登録請求の範囲】
【請求項１】
工芸品の展示台において、
展示台の本体を含み、前記の展示台の本体の底は一つタンクがあり、前記のタンクの内頂部位置に対称に四つのセットが設置されて、前記のセットの中に軸が結合され、前記のタンクと前記の軸の間にボルトが結合され、前記の軸の下にセット軸が結合され、前記のセット軸は前記の軸の間に合わせて活動する、前記のセット軸の下に地面を吸着する用の吸盤が設置され、前記の展示台の本体の頂部に段鼻が設置され、前記の展示台の本体の頂部に前記の段鼻を通じて透光マスクが結合され、前記の段鼻が前記の透光マスクの内壁に交差され、前記の展示台の本体の頂部に一つ溝付が設置され、前記の溝付の中にディフューザ板が結合され、四つの前記のセット軸の間に一つの位置決めプレートが結合され、前記の位置決めプレートの頂部に前記のセット軸を通り抜ける用の穴があり、前記の位置決めプレートと前記のセット軸の間に第一ボルトが結合され、前記の位置決めプレートの頂部に一つねじ穴が設置され、前記のねじ穴を通じて一つ内蔵電源がある照明懐中電灯が結合され、前記の照明懐中電灯は前記のディフューザ板と相対する
ことを特徴とする工芸品の展示台。
【考案の詳細な説明】
【技術分野】
【０００１】
この実用的な新型は工芸品展示の構造を取り上げる。
【背景技術】
【０００２】
工芸品は常にツアー展示を行う必要がある、展示する過程に展開を通じて安置を行う必要がある。既存の技術の中の展示台は木質構造で、簡単に地面で安置され、展示台の外側にガードレールを設置し防護を実現する。しかし一部の見学者は無意識に展示台を触れて、展示台が転ぶことを引き起こし、工芸品が割れることを招く。
【０００３】
上記の問題に基づいて、一種の地面との間に確実に接地することを実現することができ、安置の安定度を増加する工芸品展示の構造を提供する必要がある。
【考案の概要】
【考案が解決しようとする課題】
【０００４】
本実用的な新型内容は解決する必要な技術問題が一種の地面との間に確実に接地することを実現することができ、安置の安定度を増加する工芸品展示の構造を提供することである。
【課題を解決するための手段】
【０００５】
本実用的な新型は以下の技術的解決手段を通じて実現したのである。
【０００６】
1種の工芸品展示台の構造は，その特徴は展示台の本体を含む。前記の展示台の本体の底は一つタンクがあり、前記のタンクの内頂部位置に対称に四つのセットが設置されて、前記のセットの中に軸が結合され、前記のタンクと前記の軸の間にボルトが結合され、前記の軸の下にセット軸が結合され、前記のセット軸は前記の軸の間に合わせて活動する、前記のセット軸の下に地面を吸着する用の吸盤が設置され、前記の展示台の本体の頂部に段鼻が設置され、前記の展示台の本体の頂部に前記の段鼻を通じて透光マスクが結合され、前記の段鼻が前記の透光マスクの内壁に交差され、前記の展示台の本体の頂部に一つ溝付が設置され、前記の溝付の中にディフューザ板が結合され、四つの前記のセット軸の間に一つの位置決めプレートが結合され、前記の位置決めプレートの頂部に前記のセット軸を通り抜ける用の穴があり、前記の位置決めプレートと前記のセット軸の間に第一ボルトが結合され、前記の位置決めプレートの頂部に一つねじ穴が設置され、前記のねじ穴を通じて一つ内蔵電源がある照明懐中電灯が結合され、前記の照明懐中電灯は前記のディフューザ板と相対する。
【０００７】
好適な実施例は前記の軸の上でストッパーが結合され、前記のストッパーと前記の軸の間に第二ボルトが結合される。
【０００８】
好適な実施例は前記の位置決めプレートの底部に消火器を置く用のステントが設置される。
【０００９】
好適な実施例は前記の透光マスクはアクリルマスクで、前記の透光マスクの厚さは10mmより大きいである。
【００１０】
好適な実施例は前記の展示台の本体の高さは1200mmより高いである。
【考案の効果】
【００１１】
本実用的な新型の有益な効果は、本装置は実際に使用する時、底板を通じてセット軸が地面との間に確実に接地することを実現する、軸がセット軸との結合を通じて展示台の本体の定位を実現する。この装置の信頼性が比較的に高く、安置することが比較的に安定で、工芸品をよく保護することができる。この装置の構造は比較的に簡単で、コストが安く、普及させて使用することが適合する。
【図面の簡単な説明】
【００１２】
【図１】本実用的な新型の構造概略図である。
【図２】展示台本体の俯瞰図である。
【図３】位置決めプレートの俯瞰図である。
【考案を実施するための形態】
【００１３】
この説明書に公開されたすべての特徴、または公開されたすべての方法あるいは過程の中のステップは、互いに排斥する特徴/あるいはステップの以外はどんな方式でも組み合わることができる。
【００１４】
この説明書（いかなる付加権力の要求、要約と付図を含む）の中に公開されたいずれかの特徴は特別な叙述が別として、他の等価または類似目的を持つ代替特徴で置換することができる。つまり、特別な叙述が別として、すべての特徴はただ1シリーズの等価あるいは類似特徴の中の1つの例である。
【００１５】
図１、図２と図３のような1種の工芸品展示台の構造は，展示台の本体１を含む。前記の展示台の本体１の底は一つタンク１０１があり、前記のタンク１０１の内頂部位置に対称に四つのセット１０２が設置されて、前記のセット１０２の中に軸１０３が結合され、前記のタンク１０２と前記の軸１０３の間にボルト１１１が結合され、前記の軸１０３の下にセット軸１０４が結合され、前記のセット軸１０４は前記の軸１０３の間に合わせて活動する、前記のセット軸１０４の下に地面を吸着する用の吸盤１０５が設置され、前記の展示台の本体１の頂部に段鼻１０６が設置され、前記の展示台の本体１の頂部に前記の段鼻１０６を通じて透光マスク２が結合され、前記の段鼻１０６が前記の透光マスク２の内壁に交差され、前記の展示台の本体１の頂部に一つ溝付１０７が設置され、前記の溝付１０７の中にディフューザ板１０８が結合され、四つの前記のセット軸１０４の間に一つの位置決めプレート３が結合され、前記の位置決めプレート３の頂部に前記のセット軸１０４を通り抜ける用の穴３０１があり、前記の位置決めプレート３と前記のセット軸１０４の間に第一ボルト３１１が結合され、前記の位置決めプレート３の頂部に一つねじ穴３１２が設置され、前記のねじ穴３１２を通じて一つ内蔵電源がある照明懐中電灯３１３が結合され、前記の照明懐中電灯３１３は前記のディフューザ板１０８と相対する。
【００１６】
本実用的な新型の中の比較的に好適な実施例は前記の軸１０３の上でストッパー１２１が結合され、前記のストッパー１２１と前記の軸１０３の間に第二ボルト１３１が結合される。
【００１７】
本実用的な新型の中の比較的に好適な実施例は前記の位置決めプレート３の底部に消火器を置く用のステント３３３が設置される。
【００１８】
本実用的な新型の中の比較的に好適な実施例は前記の透光マスク２はアクリルマスクで、前記の透光マスク２の厚さは10mmより大きいである。
【００１９】
本実用的な新型の中の比較的に好適な実施例は前記の展示台の本体１の高さは1200mmより高いである。
【００２０】
本実用的な新型の有益な効果は、本装置は実際に使用する時、底板を通じてセット軸が地面との間に確実に接地することを実現する、軸がセット軸との結合を通じて展示台の本体の定位を実現する。この装置の信頼性が比較的に高く、安置することが比較的に安定で、工芸品をよく保護することができる。この装置の構造は比較的に簡単で、コストが安く、普及させて使用することが適合する。
【００２１】
以上に述べたのはただ本実用的な新型の具体的な実施方法で、しかし本実用的な新型の保護範囲はこれに限らず、あらゆる創造的な労働を経なく思いつく変化と置換は本実用的な新型の保護範囲の中に含む。だから、本実用的な新型の保護範囲は特許請求に限定される保護範囲を標準とする。
【図１】
0003213327.tif 000003
【図２】
0003213327.tif 000004
【図３】
0003213327.tif 000005